(57)【要約】      （修正有）【課題】迅速分解組立可能な照明器具及びその製造方法を提供する。【解決手段】順に接続された、口金１と、基底２と、ランプ本体３と、ＬＥＤ板４と、グローブ６と、ＬＥＤ固定具５と、を有する照明器具であって、ランプ本体３内の取付面３４にはＬＥＤ板４が覆設されており、グローブ６の下端の係合部６３は、ランプ本体３の取付面３４とランプ本体３の円錐管３２との間に成形された環状の上部溝３８に係合されている。この照明器具の製造方法は、ＬＥＤ固定具５の鈎部５３を、ＬＥＤ板４の取付溝４２内に入れてランプ本体３の取付面３４の取付穴３５から通した後、基底２の鈎穴２３１に取り付けることにより、ＬＥＤ板４をランプ本体３に固定するステップを含む。【選択図】図１
2015141748.tif 000002
【特許請求の範囲】
【請求項１】
順に接続された、口金と、基底と、ランプ本体と、ＬＥＤ板と、グローブと、を有する迅速分解組立可能な照明器具であって、さらにＬＥＤ固定具を有し、前記ＬＥＤ固定具は、リング状部材と、円中心を通過する前記リング状部材の両端からそれぞれ内向きに延伸している内肩部と、内肩部の先端を鉛直下方向に屈曲させて形成された鈎部と、リング状部材の外壁に対称に凸設されているフックとで構成されており、前記ランプ本体内の取付面には前記ＬＥＤ板が覆設されており、前記ＬＥＤ固定具の鈎部は前記ＬＥＤ板の取付溝内に入って前記ランプ本体の取付面の取付穴を通過した後、前記基底の鈎穴に係着られることにより、前記ＬＥＤ板が前記ランプ本体に固定されており、前記グローブの下端における係合部は、前記ランプ本体の取付面と前記ランプ本体の円錐管との間に成形された環状の上部溝の係合溝に係合されている、ことを特徴とする迅速分解組立可能な照明器具。
【請求項２】
前記ランプ本体は、底部にある丸管と、上部に成形された円錐管と、円錐管の管壁に複数の放熱窓を均一に開設して形成された通気格子と、前記円錐管の内部に設けられ且つ地面に平行する円盤状の取付面と、前記ＬＥＤ固定具の鈎部が通過するために前記取付面に対称に設けられている取付穴と、前記取付穴の一方側に設けられている電源線通し穴と、前記取付面と前記円錐管と の間に成形された環状の下部溝及び環状の上部溝と、で構成されている、ことを特徴とする請求項１に記載の迅速分解組立可能な照明器具。
【請求項３】
前記ＬＥＤ板は、円中心を通過する円盤の両端からそれぞれ内部に向かって開設されている取付溝と、前記取付溝と垂直し且つ円盤の一方側に開設されているＵ形溝と、前記Ｕ形溝の両側にそれぞれ設けられている溶接スポットと、円盤の上面に均一に分布しているＬＥＤイルミネータと、で構成されている、ことを特徴とする請求項１に記載の迅速分解組立可能な照明器具。
【請求項４】
前記グローブは、上部にあるアーチ形グローブ本体と、アーチ形グローブ本体の端部に沿って一体成形されており、且つ縮径されることにより内向きに凹んでいる管状体と、前記管状体の外壁に対称に凸設されている係合部と、で構成されている、ことを特徴とする請求項１に記載の迅速分解組立可能な照明器具。
【請求項５】
前記ＬＥＤ板は、前記ＬＥＤ固定具の内肩部を介して前記ランプ本体の取付面に密着されており、前記ＬＥＤ固定具の鈎部は、前記ランプ本体の取付面と前記ランプ本体の円錐管との間に成形された環状の下部溝の係合溝に固定されている、ことを特徴とする請求項１に記載の迅速分解組立可能な照明器具。
【請求項６】
前記基底は、底部にあるネジ接続部と、ネジ接続部の上部を拡径して成形された底面切り欠き円錐台と、前記底面切り欠き円錐台の上部と一体になって延伸して形成された管体と、前記管体の開口端に位置する管壁に対称に開設されている対となる鈎穴と、前記管体に挿入されて設けられるＬＥＤ駆動プリント基板と、で構成されている、ことを特徴とする請求項１に記載の迅速分解組立可能な照明器具。
【請求項７】
前記基底内に設けられるＬＥＤ駆動プリント基板の下端における電源リード線は前記口金に接続されており、前記ＬＥＤ駆動プリント基板の上端における電源リード線は、前記ランプ本体の取付面に開設されている電源線通し穴を経由して、前記ＬＥＤ板の端部にあるＵ形溝を通過した後、前記ＬＥＤ板に設けられた溶接スポットに溶接される、ことを特徴とする請求項６に記載の迅速分解組立可能な照明器具。
【請求項８】
順に接続された、口金と、基底と、ランプ本体と、ＬＥＤ板と、グローブと、を有する迅速分解組立可能な照明器具であって、
前記グローブは、上部にあるアーチ形グローブ本体と、アーチ形グローブ本体の端部に沿って一体成形されており、且つ縮径されることにより内向きに凹んでいる管状体と、前記管状体の外壁に対称に凸設されている係合部と、で構成されており、
前記ＬＥＤ固定具は、リング状部材と、円中心を通過する前記リング状部材の両端からそれぞれ内向きに延伸している内肩部と、前記内肩部の先端を鉛直下方向に屈曲させて形成された鈎部と、前記リング状部材の外壁に対称に凸設されているフックと、で構成されており、前記ランプ本体内の取付面には前記ＬＥＤ板が覆設されており、前記ＬＥＤ固定具の鈎部は前記ＬＥＤ板の取付溝内に入って前記ランプ本体の取付面の取付穴を通過した後、前記基底の鈎穴に係着られることにより、ＬＥＤ板がランプ本体に固定されており、グローブの下端の係合部は、前記ランプ本体の取付面と前記ランプ本体の円錐管との間に成形された環状の上部溝の係合溝に係合されており、前記ＬＥＤ板は、前記ＬＥＤ固定具の内肩部を介して前記ランプ本体の取付面に密着されており、前記ＬＥＤ固定具の鈎部は、前記ランプ本体の取付面と前記ランプ本体の円錐管との間に成形された環状の下部溝の係合溝に固定されており、
前記ＬＥＤ板は、円中心を通過する円盤の両端からそれぞれ内部に向かって開設されている取付溝と、前記取付溝と垂直し且つ円盤の一方側に開設されているＵ形溝と、前記Ｕ形溝の両側にそれぞれ設けられている溶接スポットと、円盤の上面に均一に分布しているＬＥＤイルミネータと、で構成されており、
前記ランプ本体は、底部にある丸管と、上部に成形された円錐管と、前記円錐管の管壁に複数の放熱窓を均一に開設して形成された通気格子と、前記円錐管の内部に設けられ且つ地面に平行する円盤状の取付面と、前記ＬＥＤ固定具の鈎部が通過するために取付面に対称に設けられている取付穴と、前記取付穴の一方側に設けられている電源線通し穴と、前記取付面と前記円錐管と間に成形された環状の下部溝及び環状の上部溝と、で構成されており、
前記基底は、底部にあるネジ接続部と、前記ネジ接続部の上部を拡径して成形された底面切り欠き円錐台と、前記底面切り欠き円錐台の上部と一体になって延伸して形成された管体と、前記管体の開口端に位置する管壁に対称に開設されている対となる鈎穴と、前記管体に挿入されて設けられるＬＥＤ駆動プリント基板と、で構成されており、前記基底内に設けられるＬＥＤ駆動プリント基板の下端における電源リード線は前記口金に接続されており、前記ＬＥＤ駆動プリント基板の上端における電源リード線は前記ランプ本体の取付面に開設されている電源線通し穴を経由して、前記ＬＥＤ板の端部にあるＵ形溝を通過した後、前記ＬＥＤ板に設けられた溶接スポットに溶接される、ことを特徴とする迅速分解組立可能な照明器具。
【請求項９】
請求項１に記載の迅速分解組立可能な照明器具の製造方法であって、
（１）基座を口金にネジ接続し、さらにＬＥＤ駆動プリント基板の下端における電源リード線を口金に接続する、ステップと、
（２）基座をランプ本体の丸管に取り付け、さらにＬＥＤ駆動プリント基板の上端における電源リード線をランプ本体の取付面に開設されている電源線通し穴を通過させる、ステップと、
（３）ＬＥＤ固定具における互いに逆方向に設置された鈎部を、ＬＥＤ板の取付溝内に入れてランプ本体の取付面の取付穴を通過した後、基底の鈎穴に係着することにより、ＬＥＤ板をランプ本体に固定するとともに、ＬＥＤ固定具の鈎部を、ランプ本体の取付面とランプ本体の円錐管との間に成形された環状の下部溝の係合溝に固定する、ステップと、
（４）ＬＥＤ駆動プリント基板の上端における電源リード線を、ランプ本体の取付面に開設されている電源線通し穴を通過させてＬＥＤ板の端部にあるＵ形溝を経由して、ＬＥＤ板に設けられた溶接スポットに溶接する、ステップと、
（５）、グローブ下端の係合部を、ランプ本体の取付面とランプ本体の円錐管との間に成形された環状の上部溝の係合溝に係合することにより、組み立てを完了する、ステップと、を含む、ことを特徴とする製造方法。
【発明の詳細な説明】
【技術分野】
【０００１】
本発明は、迅速分解組立可能な照明器具及びその製造方法に関する。
【背景技術】
【０００２】
電球の組み立て作業には一般的にネジの使用が不可欠となっているため、ネジを締め付けるために大量の手間と時間を掛ける必要があり、生産効率が低くなる。
【発明の概要】
【発明が解決しようとする課題】
【０００３】
本発明の目的は、ネジが不要且つ迅速に分解、組立可能な照明器具を提供することである。本発明のもう一つの目的は、迅速分解組立可能な照明器具の製造方法を提供することである
【課題を解決するための手段】
【０００４】
本発明の実施形態は、迅速分解組立可能な照明器具を提供する。順に接続された、口金と、基底と、ランプ本体と、ＬＥＤ板（ＬＥＤ実装基板）と、グローブと、を有する迅速分解組立可能な照明器具であって、さらにＬＥＤ固定具を有し、上記ＬＥＤ固定具は、リング状部材と、円中心を通過するリング状部材の両端からそれぞれ内向きに延伸している内肩部と、内肩部の先端を鉛直下方向に屈曲させて形成された鈎部と、リング状部材の外壁に対称に凸設されているフックとで構成されており、上記ランプ本体内の取付面にはＬＥＤ板が覆設されており、上記ＬＥＤ固定具の鈎部はＬＥＤ板の取付溝内に入ってランプ本体の取付面の取付穴を通過した後、基底の鈎穴に係着られることにより、ＬＥＤ板がランプ本体に固定されており、グローブの下端における係合部は、ランプ本体の取付面とランプ本体の円錐管との間に成形された環状の上部溝の係合溝に係合されている、ことを特徴とする。
【０００５】
好ましくは、上記ランプ本体は、底部にある丸管と、上部に成形された円錐管と、円錐管の管壁に複数の放熱窓を均一に開設して形成された通気格子と、円錐管の内部に設けられ且つ地面に平行する円盤状の取付面と、ＬＥＤ固定具の鈎部が通過するために取付面に対称に設けられている取付穴と、取付穴の一方側に設けられている電源線通し穴と、取付面と円錐管と間に成形された環状の下部溝及び環状の上部溝と、で構成されている。
【０００６】
好ましくは、上記ＬＥＤ板は、円中心を通過する円盤の両端からそれぞれ内部に向かって開設されている取付溝と、取付溝と垂直し且つ円盤の一方側に開設されているＵ形溝と、Ｕ形溝の両側にそれぞれ設けられている溶接スポットと、円盤の上面に均一に分布しているＬＥＤイルミネータと、で構成されている。
【０００７】
好ましくは、上記グローブは、上部にあるアーチ形グローブ本体と、アーチ形グローブ本体の端部に沿って一体成形されており、且つ縮径されることにより内向きに凹んでいる管状体と、管状体の外壁に対称に凸設されている係合部と、で構成されている。
【０００８】
好ましくは、ＬＥＤ板は、上記ＬＥＤ固定具の内肩部を介してランプ本体の取付面に密着されており、ＬＥＤ固定具の鈎部は、ランプ本体の取付面とランプ本体の円錐管との間に成形された環状の下部溝の係合溝に固定されている。
【０００９】
好ましくは、上記基底は、底部にあるネジ接続部と、ネジ接続部の上部を拡径して成形された底面切り欠き円錐台と、底面切り欠き円錐台の上部と一体になって延伸して形成された管体と、管体の開口端に位置する管壁に対称に開設されている対となる鈎穴と、管体に挿入されて設けられるＬＥＤ駆動プリント基板と、で構成されている。
【００１０】
好ましくは、上記基底内に設けられるＬＥＤ駆動プリント基板の下端における電源リード線は口金に接続されており、ＬＥＤ駆動プリント基板の上端における電源リード線は、ランプ本体の取付面に開設されている電源線通し穴を経由して、ＬＥＤ板の端部にあるＵ形溝を通過した後、ＬＥＤ板に設けられた溶接スポットに溶接される。
【００１１】
本発明のもう一つの実施形態は、迅速分解組立可能な照明器具を提供する。順に接続された、口金と、基底と、ランプ本体と、ＬＥＤ板と、グローブと、を有する迅速分解組立可能な照明器具であって、
上記グローブは、上部にあるアーチ形グローブ本体と、アーチ形グローブ本体の端部に沿って一体成形されており、且つ縮径されることにより内向きに凹んでいる管状体と、管状体の外壁に対称に凸設されている係合部と、で構成されており、
上記ＬＥＤ固定具は、リング状部材と、円中心を通過するリング状部材の両端からそれぞれ内向きに延伸している内肩部と、内肩部の先端を鉛直下方向に屈曲させて形成された鈎部と、リング状部材の外壁に対称に凸設されているフックと、で構成されており、上記ランプ本体内の取付面にはＬＥＤ板が覆設されており、上記ＬＥＤ固定具の鈎部はＬＥＤ板の取付溝内に入ってランプ本体の取付面の取付穴を通過した後、基底の鈎穴に係着られることにより、ＬＥＤ板がランプ本体に固定されており、グローブ下端の係合部は、ランプ本体の取付面とランプ本体の円錐管との間に成形された環状の上部溝の係合溝に係合されており、ＬＥＤ板は、上記ＬＥＤ固定具の内肩部を介してランプ本体の取付面に密着されており、ＬＥＤ固定具の鈎部は、ランプ本体の取付面とランプ本体の円錐管との間に成形された環状の下部溝の係合溝に固定されており、
上記ＬＥＤ板は、円中心を通過する円盤の両端からそれぞれ内部に向かって開設されている取付溝と、取付溝と垂直し且つ円盤の一方側に開設されているＵ形溝と、Ｕ形溝の両側にそれぞれ設けられている溶接スポットと、円盤の上面に均一に分布しているＬＥＤイルミネータと、で構成されており、
上記ランプ本体は、底部にある丸管と、上部に成形された円錐管と、円錐管の管壁に複数の放熱窓を均一に開設して形成された通気格子と、円錐管の内部に設けられ且つ地面に平行する円盤状の取付面と、ＬＥＤ固定具の鈎部が通過するために取付面に対称に設けられている取付穴と、取付穴の一方側に設けられている電源線通し穴と、取付面と円錐管と間に成形された環状の下部溝及び環状の上部溝と、で構成されており、
上記基底は、底部にあるネジ接続部と、ネジ接続部の上部を拡径して成形された底面切り欠き円錐台と、底面切り欠き円錐台の上部と一体になって延伸して形成された管体と、管体の開口端に位置する管壁に対称に開設されている対となる鈎穴と、管体に挿入されて設けられるＬＥＤ駆動プリント基板と、で構成されており、上記基底内に設けられるＬＥＤ駆動プリント基板の下端における電源リード線は口金に接続されており、ＬＥＤ駆動プリント基板の上端における電源リード線はランプ本体の取付面に開設されている電源線通し穴を経由して、ＬＥＤ板の端部にあるＵ形溝を通過した後、ＬＥＤ板に設けられた溶接スポットに溶接される、ことを特徴とする。
【００１２】
本発明のもう一つの実施形態は、上記迅速分解組立可能な照明器具の製造方法であって、上記製造方法は、
（１）基座を口金にネジ接続し、さらにＬＥＤ駆動プリント基板の下端における電源リード線を口金に接続する、ステップと、
（２）基座をランプ本体の丸管に取り付け、さらにＬＥＤ駆動プリント基板の上端における電源リード線をランプ本体の取付面に開設されている電源線通し穴を通過させる、ステップと、
（３）ＬＥＤ固定具における互いに逆方向に設置された二つの鈎部を、ＬＥＤ板の取付溝内に入れてランプ本体の取付面の取付穴を通過した後、基底の鈎穴に係着することにより、ＬＥＤ板をランプ本体に固定するとともに、ＬＥＤ固定具の鈎部を、ランプ本体の取付面とランプ本体の円錐管との間に成形された環状の下部溝の係合溝に固定する、ステップと、
（４）ＬＥＤ駆動プリント基板の上端における電源リード線を、ランプ本体の取付面に開設されている電源線通し穴を通過させてＬＥＤ板の端部にあるＵ形溝を経由して、ＬＥＤ板に設けられた溶接スポットに溶接する、ステップと、
（５）、グローブ下端の係合部を、ランプ本体の取付面とランプ本体の円錐管との間に成形された環状の上部溝の係合溝に係合することにより、組み立てを完了する、ステップと、を含む。
【発明の効果】
【００１３】
従来技術に比べて本発明は、
（１）照明器具の組立て効率を向上させ、製造方法を減少させるメリット、及び
（２）修理と整備に便利であるメリットがある。
【図面の簡単な説明】
【００１４】
【図１】本発明に係る迅速分解組立可能な照明器具の構成を示す分解図である。
【図２】本発明に係る迅速分解組立可能な照明器具の構成を示す平面図である。
【図３】図２のＡ−Ａ線に沿った断面を示す図である。
【図４】図２のＢ−Ｂ線に沿った断面を示す図である。
【図５】図４のＵ部分の拡大断面図である。
【図６】本発明に係る迅速分解組立可能な照明器具のＬＥＤ板の構成を示す図である。
【図７】本発明に係る迅速分解組立可能な照明器具の構成を示す平面図である。
【発明を実施するための形態】
【００１５】
以下、図面を組み合わせてさらに詳しく本発明を説明する。
【００１６】
本発明に係る迅速分解組立可能な照明器具は、順に接続された、口金１と、基底２と、ランプ本体３と、ＬＥＤ板４と、ＬＥＤ固定具５と、グローブ６と、を有する。
【００１７】
図１に示したように、この迅速分解組立可能な照明器具は、
上部にあるアーチ形グローブ本体６１と、アーチ形グローブ本体６１の端部に沿って一体成形されており、且つ縮径されることにより内向きに凹んでいる管状体６２と、管状体６２の外壁に対称に凸設されている係合部６３と、で構成されているグローブ６と、
リング状部材５１と、円中心を通過するリング状部材５１の両端からそれぞれ内向きに延伸している内肩部５２と、内肩部５２の先端を鉛直下方向に屈曲させて形成された鈎部５３と、リング状部材５１の外壁に対称に凸設されているフック５４と、で構成されているＬＥＤ固定具５と、
円中心を通過する円盤４１の両端からそれぞれ内部に向かって開設されている取付溝４２と、取付溝４２と垂直し且つ円盤４１の一方側に開設されているＵ形溝４３と、Ｕ形溝４３の両側にそれぞれ設けられている溶接スポット４４と、円盤４１の上面に均一に分布しているＬＥＤイルミネータ４５と、で構成されているＬＥＤ板４と、
底部にある丸管３１と、上部に成形された円錐管３２と、円錐管３２の管壁に複数の放熱窓を均一に開設して形成された通気格子３３と、円錐管３２の内部に設けられ且つ地面に平行する円盤状の取付面３４と、ＬＥＤ固定具５の鈎部５３が通過するために取付面３４に対称に設けられている取付穴３５と、取付穴３５の一方側に設けられている電源線通し穴３６と、取付面３４と円錐管３２と間に成形された環状の下部溝３７及び環状の上部溝３８と、で構成されているランプ本体３と、
底部にあるネジ接続部２１と、ネジ接続部２１の上部を拡径して成形された底面切り欠き円錐台２２と、底面切り欠き円錐台２２の上部と一体になって延伸して形成された管体２３と、管体２３の開口端に位置する管壁に対称に開設されている対となる鈎穴２３１と、管体２３に挿入されて設けられるＬＥＤ駆動プリント基板７と、で構成されている基底２と、
を有し、且つ、
上記基底２内に設けられるＬＥＤ駆動プリント基板７の下端における電源リード線８は口金１に接続されており、ＬＥＤ駆動プリント基板７の上端における電源リード線８はランプ本体３の取付面３４に開設されている電源線通し穴３６を経由して、ＬＥＤ板４の端部にあるＵ形溝４３を通過した後、ＬＥＤ板４に設けられた溶接スポット４４に溶接される。
【００１８】
上記ランプ本体３内の取付面３４にはＬＥＤ板４が覆設されており、上記ＬＥＤ固定具５の鈎部５３はＬＥＤ板４の取付溝４３内に入ってランプ本体３の取付面３４の取付穴３５を通過した後、基底２の鈎穴２３１に取り付けられることにより、ＬＥＤ板４がランプ本体３に固定されており、グローブ６下端の係合部６３は、ランプ本体３の取付面３４とランプ本体３の円錐管３２との間に成形された環状の上部溝３８の係合溝に係合されており、ＬＥＤ板４は、上記ＬＥＤ固定具５の内肩部５２を介してランプ本体３の取付面３４に密着されており、ＬＥＤ固定具５の鈎部５３は、ランプ本体３の取付面３４とランプ本体３の円錐管３２との間に成形された環状の下部溝３７の内肩部３９に固定されている。
【００１９】
上記した迅速分解組立可能な照明器具の製造方法は、
（１）基座２を口金１にネジ接続し、さらにＬＥＤ駆動プリント基板７の下端における電源リード線８を口金１に接続する、ステップと、
（２）基座２をランプ本体３の丸管３１に取り付け、さらにＬＥＤ駆動プリント基板７の上端における電源リード線８をランプ本体３の取付面３４に開設されている電源線通し穴３６を通過させる、ステップと、
（３）ＬＥＤ固定具５における互いに逆方向に設置された二つの鈎部５３を、ＬＥＤ板４の取付溝４２内に入れてランプ本体３の取付面３４の取付穴３５を通過した後、基底２の鈎穴２３１に係着することにより、ＬＥＤ板４をランプ本体３に固定するとともに、ＬＥＤ固定具５の鈎部５３を、ランプ本体３の取付面３４とランプ本体３の円錐管３２との間に成形された環状の下部溝３７の係合溝に固定する、ステップと、
（４）ＬＥＤ駆動プリント基板７の上端における電源リード線８を、ランプ本体３の取付面３４に開設されている電源線通し穴３６を通過させてＬＥＤ板４の端部にあるＵ形溝４３を経由して、ＬＥＤ板４に設けられた溶接スポット４４に溶接する、ステップと、
（５）グローブ６下端の係合部６３を、ランプ本体３の取付面３４とランプ本体３の円錐管３２との間に成形された環状の上部溝３８の係合溝に係合することにより、組み立てを完了する、ステップと、を含む。
【００２０】
上記の実施形態は本発明の好適な実施の一例ではあるがこれに限定されるものではなく、本発明の要旨を逸脱しない範囲において種々変形・改良可能である。そのため、そうした変形・改良例も本発明の範囲にある。
【符号の説明】
【００２１】
１...口金
２...基底
２１...ネジ接続部
２２...円錐台
２３...管体
２３１...鈎穴
３...ランプ本体
３１...丸管
３２...円錐管
３３...通気格子
３４...取付面
３５...取付穴
３６...電源線通し穴
３７...環状の下部溝
３８...環状の上部溝
４...ＬＥＤ板
４１...円盤
４２...取付溝
４３...Ｕ形溝
４４...溶接スポット
４５...ＬＥＤイルミネータ
５...ＬＥＤ固定具
５１...リング状部材
５２、３９...内肩部
５３...鈎部
５４...フック
６...グローブ
６１...アーチ形グローブ本体
６２...管状体
６３...係合部
７...ＬＥＤ駆動プリント基板
８...電源リード線
【図１】
2015141748.tif 000003
【図２】
2015141748.tif 000004
【図３】
2015141748.tif 000005
【図４】
2015141748.tif 000006
【図５】
2015141748.tif 000007
【図６】
2015141748.tif 000008
【図７】
2015141748.tif 000009
【手続補正書】
【提出日】平成27年1月27日(2015.1.27)
【手続補正１】
【補正対象書類名】特許請求の範囲
【補正対象項目名】全文
【補正方法】変更
【補正の内容】
【特許請求の範囲】
【請求項１】
順に接続された、口金と、基底と、ランプ本体と、ＬＥＤ板と、グローブと、を有する迅速分解組立可能な照明器具であって、さらにＬＥＤ固定具を有し、前記ＬＥＤ固定具は、リング状部材と、前記リング状部材の直径両端からそれぞれ円中心向きに延伸している内肩部と、内肩部の先端を鉛直下方向に屈曲させて形成された鈎部と、リング状部材の外壁に対称に凸設されているフックとで構成されており、前記ランプ本体内の取付面には前記ＬＥＤ板が覆設されており、前記ＬＥＤ固定具の鈎部は前記ＬＥＤ板の取付溝内に入って前記ランプ本体の取付面の取付穴を通過した後、前記基底の鈎穴に係着られることにより、前記ＬＥＤ板が前記ランプ本体に固定されており、前記グローブの下端における係合部は、前記ランプ本体の取付面に対応する前記ランプ本体の円錐管の内壁に凹設された環状の上部溝の係合溝に係合されている、ことを特徴とする迅速分解組立可能な照明器具。
【請求項２】
前記ランプ本体は、底部にある丸管と、上部に成形された円錐管と、円錐管の管壁に複数の放熱窓を均一に開設して形成された通気格子と、前記円錐管の内部に設けられている円盤状の取付面と、前記ＬＥＤ固定具の鈎部が通過するために前記取付面に対称に設けられている取付穴と、前記取付穴の一方側に設けられている電源線通し穴と、前記取付面に対応する前記円錐管の内壁に平行に凹設された環状の下部溝及び環状の上部溝と、で構成されている、ことを特徴とする請求項１に記載の迅速分解組立可能な照明器具。
【請求項３】
前記ＬＥＤ板は、円盤と、前記円盤の直径両端からそれぞれ円中心に向かって開設されている取付溝と、前記取付溝と垂直し且つ円盤の一方側に開設されているＵ形溝と、前記Ｕ形溝の両側にそれぞれ設けられている溶接スポットと、円盤の上面に均一に分布しているＬＥＤイルミネータと、で構成されている、ことを特徴とする請求項１に記載の迅速分解組立可能な照明器具。
【請求項４】
前記グローブは、上部にあるアーチ形グローブ本体と、アーチ形グローブ本体の端部に沿って一体成形されており、且つ縮径されることにより内向きに凹んでいる管状体と、前記管状体の外壁に対称に凸設されている係合部と、で構成されている、ことを特徴とする請求項１に記載の迅速分解組立可能な照明器具。
【請求項５】
前記ＬＥＤ板は、前記ＬＥＤ固定具の内肩部を介して前記ランプ本体の取付面に密着されており、前記ＬＥＤ固定具の鈎部は、前記ランプ本体の取付面に対応する前記ランプ本体の円錐管の内壁に凹設された環状の下部溝の係合溝に固定されている、ことを特徴とする請求項１に記載の迅速分解組立可能な照明器具。
【請求項６】
前記基底は、底部にあるネジ接続部と、ネジ接続部の上部を拡径して成形された底面切り欠き円錐台と、前記底面切り欠き円錐台の上部と一体になって延伸して形成された管体と、前記管体の開口端に位置する管壁に対称に開設されている対となる鈎穴と、前記管体に挿入されて設けられるＬＥＤ駆動プリント基板と、で構成されている、ことを特徴とする請求項１に記載の迅速分解組立可能な照明器具。
【請求項７】
前記基底内に設けられるＬＥＤ駆動プリント基板の下端における電源リード線は前記口金に接続されており、前記ＬＥＤ駆動プリント基板の上端における電源リード線は、前記ランプ本体の取付面に開設されている電源線通し穴を経由して、前記ＬＥＤ板の端部にあるＵ形溝を通過した後、前記ＬＥＤ板に設けられた溶接スポットに溶接される、ことを特徴とする請求項６に記載の迅速分解組立可能な照明器具。
【請求項８】
順に接続された、口金と、基底と、ランプ本体と、ＬＥＤ板と、グローブと、を有する迅速分解組立可能な照明器具であって、
前記グローブは、上部にあるアーチ形グローブ本体と、アーチ形グローブ本体の端部に沿って一体成形されており、且つ縮径されることにより内向きに凹んでいる管状体と、前記管状体の外壁に対称に凸設されている係合部と、で構成されており、
前記ＬＥＤ固定具は、リング状部材と、前記リング状部材の直径両端からそれぞれ円中心向きに延伸している内肩部と、前記内肩部の先端を鉛直下方向に屈曲させて形成された鈎部と、前記リング状部材の外壁に対称に凸設されているフックと、で構成されており、前記ランプ本体内の取付面には前記ＬＥＤ板が覆設されており、前記ＬＥＤ固定具の鈎部は前記ＬＥＤ板の取付溝内に入って前記ランプ本体の取付面の取付穴を通過した後、前記基底の鈎穴に係着られることにより、ＬＥＤ板がランプ本体に固定されており、
前記ＬＥＤ板は、円盤と、前記円盤の直径両端からそれぞれ円中心に向かって開設されている取付溝と、前記取付溝と垂直し且つ円盤の一方側に開設されているＵ形溝と、前記Ｕ形溝の両側にそれぞれ設けられている溶接スポットと、円盤の上面に均一に分布しているＬＥＤイルミネータと、で構成されており、
前記ランプ本体は、底部にある丸管と、上部に成形された円錐管と、前記円錐管の管壁に複数の放熱窓を均一に開設して形成された通気格子と、前記円錐管の内部に設けられている円盤状の取付面と、前記ＬＥＤ固定具の鈎部が通過するために取付面に対称に設けられている取付穴と、前記取付穴の一方側に設けられている電源線通し穴と、前記取付面に対応する前記円錐管の内壁に平行に凹設された環状の下部溝及び環状の上部溝と、で構成されており、前記グローブの下端の係合部は、前記円錐管の内壁の環状の上部溝の係合溝に係合されており、前記ＬＥＤ板は、前記ＬＥＤ固定具の内肩部を介して前記ランプ本体の取付面に密着されており、前記ＬＥＤ固定具の鈎部は、前記円錐管の内壁の環状の下部溝の係合溝に固定されており、
前記基底は、底部にあるネジ接続部と、前記ネジ接続部の上部を拡径して成形された底面切り欠き円錐台と、前記底面切り欠き円錐台の上部と一体になって延伸して形成された管体と、前記管体の開口端に位置する管壁に対称に開設されている対となる鈎穴と、前記管体に挿入されて設けられるＬＥＤ駆動プリント基板と、で構成されており、
前記基底内に設けられるＬＥＤ駆動プリント基板の下端における電源リード線は前記口金に接続されており、前記ＬＥＤ駆動プリント基板の上端における電源リード線は前記ランプ本体の取付面に開設されている電源線通し穴を経由して、前記ＬＥＤ板の端部にあるＵ形溝を通過した後、前記ＬＥＤ板に設けられた溶接スポットに溶接される、ことを特徴とする迅速分解組立可能な照明器具。
【請求項９】
請求項１に記載の迅速分解組立可能な照明器具の製造方法であって、
（１）基底を口金にネジ接続し、さらにＬＥＤ駆動プリント基板の下端における電源リード線を口金に接続する、ステップと、
（２）基底をランプ本体の丸管に取り付け、さらにＬＥＤ駆動プリント基板の上端における電源リード線をランプ本体の取付面に開設されている電源線通し穴を通過させる、ステップと、
（３）ＬＥＤ固定具における互いに逆方向に設置された鈎部を、ＬＥＤ板の取付溝内に入れてランプ本体の取付面の取付穴を通過した後、基底の鈎穴に係着することにより、ＬＥＤ板をランプ本体に固定するとともに、ＬＥＤ固定具の鈎部を、ランプ本体の取付面に対応するランプ本体の円錐管の内壁に凹設された環状の下部溝の係合溝に固定する、ステップと、
（４）ＬＥＤ駆動プリント基板の上端における電源リード線を、ランプ本体の取付面に開設されている電源線通し穴を通過させてＬＥＤ板の端部にあるＵ形溝を経由して、ＬＥＤ板に設けられた溶接スポットに溶接する、ステップと、
（５）、グローブ下端の係合部を、ランプ本体の取付面に対応するランプ本体の円錐管の内壁に凹設された環状の上部溝の係合溝に係合することにより、組み立てを完了する、ステップと、を含む、ことを特徴とする製造方法。